(57)【要約】【課題】ダイニング域Ｄとキッチン域Ｋの間に対面カウンター２を設置した対面式キッチンユニットにおいて、対面カウンター２の下方に、テーブルＴの一部を侵入させることができるダイニング域Ｄに面する任意奥行き寸法Ａの空間Ｓを形成すること。【解決手段】対面カウンター２の底面２ａのダイニング域Ｄから任意奥行き寸法Ａの位置に取着した上方の連結具４と、連結具４と対面して床面Ｆ上に取着した下方の連結具５と、上下の連結具４，５に接合した仕切パネル６とを備え、対面カウンター６と床面Ｆと仕切パネル６とで囲まれた空間Ｓを、ダイニング域Ｄに面して開口すると共にダイニング域Ｄから連結前の仕切パネル６の挿入が可能な大きさとしたこと。【選択図】図４
2005080671.tif 000002
【特許請求の範囲】
【請求項１】
ダイニング域とキッチン域の間に対面カウンターを設置した対面式キッチンユニットにおいて、前記対面カウンターの底面のダイニング域から任意奥行き寸法の位置に取着した上方の連結具と、該連結具と対面して床面上に取着した下方の連結具と、この上下の連結具に接合した仕切パネルとを備え、これら対面カウンターと床面と仕切パネルとで囲まれた空間を、ダイニング域に面して開口させると共にダイニング域から連結前の仕切パネルの挿入が可能な大きさとしたことを特徴とする対面式キッチンユニット。
【請求項２】
前記ダイニング域に面する前記対面カウンターと前記キッチン域に面するキッチンキャビネツトとを並設し、該キッチンキャビネットと前記対面カウンターの長手側縁のうち該キッチンキャビネットに隣接する一方側とを連結具で連結し、前記床面上に前記対面カウンターの長手側縁の他方側を支柱で支持した請求項１記載の対面式キッチンユニット。
【請求項３】
前記キッチンキャビネットと前記対面カウンターとの間の一部で躯体壁を挟み込み、該躯体壁のある領域では躯体壁に応じた寸法だけ対面カウンターに切欠き部を形成し、躯体壁のない領域では前記キッチンキャビネットと前記対面カウンターとを前記連結具で連結した請求項２記載の対面式キッチンユニット。
【請求項４】
対面式キッチンユニットの施工方法において、床面上にキッチンキャビネットを配置する第１工程と、対面カウンターの底面の所定位置に、上方の連結具及び支柱取付用フランジを取着すると共に、床面上の所定位置に下方の連結具及び支柱取付用フランジを取着する第２工程と、キッチンキャビネットに対面カウンターを載置すると共に、支柱取付用フランジに支柱の上下端を挿着して、対面カウンターを仮置きする第３工程と、キッチンキャビネットに対面カウンターを連結具を用いて連結する第４工程と、対面カウンターと床面との間の空間へ、ダイニング域側から仕切パネルを挿入し、上下の連結具に仕切パネルを連結する第５工程とをこの順番で行うことを特徴とする対面式キッチンユニットの施工方法。
【発明の詳細な説明】
【技術分野】
【０００１】
本発明は、ダイニング域とキッチン域の間に対面カウンターを設置した対面式キッチンユニットの改良に関するものである。
【背景技術】
【０００２】
対面式キッチンユニットは、ダイニング域に面する対面カウンターとキッチン域に面するキッチンキャビネツトとを並設し、キッチン域に立って対面カウンター越しにダイニング域を見渡すことができるように構成したものがある（特許文献１）。キッチンキャビネツトは、上部にシンクや加熱調理器等が備えられる。対面カウンターは、ベースキャビネットの上部に設けられる。
【特許文献１】特開２００１−２５８６６３公報
【０００３】
対面式キッチンユニットを設置するに際し、手持ちのテーブル等を利用したいがダイニング域の広さの制限等から、対面カウンターの下方に手持ちのテーブル等の一部を呑込ませてレイアウトしなければならない場合がある。
しかし、従来の対面カウンターは、ベースキャビネットのダイニング域に面する側に扉を設けて収納部を形成しているため、上記要請に応えることができない問題がある。この問題は、キッチンキャビネツトと並設させることなくベースキャビネットの上部に対面カウンターを設けて対面式キッチンユニットを構成する場合にも生じることがある。
【発明の開示】
【発明が解決しようとする課題】
【０００４】
本発明は、上記問題を解決するために、対面カウンターの下方に手持ちのテーブル等の一部を呑込ませることができる任意奥行き寸法の空間を形成した対面式キッチンユニット及びその施工方法の提供を目的とするものである。
【課題を解決するための手段】
【０００５】
対面カウンターの下方に任意奥行き寸法の空間を形成するために請求項１記載の本発明が採用した手段は、ダイニング域とキッチン域の間に対面カウンターを設置した対面式キッチンユニットにおいて、前記対面カウンターの底面のダイニング域から任意奥行き寸法の位置に取着した上方の連結具と、該連結具と対面して床面上に取着した下方の連結具と、この上下の連結具に接合した仕切パネルとを備え、これら対面カウンターと床面と仕切パネルとで囲まれた空間を、ダイニング域に面して開口させると共にダイニング域から連結前の仕切パネルの挿入が可能な大きさとしたことを特徴とする対面式キッチンユニットである。
本発明にあっては、ダイニング域から任意奥行き寸法の位置に取着した上下の連結具に仕切パネルを接合してあるので、対面カウンターの下方に、ダイニング域に面して開口する任意奥行き寸法の空間を形成できる。
【０００６】
ベースキャビネットを用いることなく対面カウンターを簡単な構造で固定できるようにするために請求項２記載の本発明が採用した手段は、前記ダイニング域に面する前記対面カウンターと前記キッチン域に面するキッチンキャビネツトとを並設し、該キッチンキャビネットと前記対面カウンターの長手側縁のうち該キッチンキャビネットに隣接する一方側とを連結具で連結し、前記床面上に前記対面カウンターの長手側縁の他方側を支柱で支持した請求項１記載の対面式キッチンユニットである。対面カウンターの水平調整を容易にするために、支柱に高さ調整具を設けることもある。
本発明にあっては、キッチンキャビネツト及び床面に対して連結具と支柱とで対面カウンターを支持できる。
【０００７】
キッチンキャビネットと対面カウンターとの間の一部に躯体壁が位置する現場仕様に簡単に対処できるように請求項３記載の本発明が採用した手段は、前記キッチンキャビネットと前記対面カウンターとの間の一部で躯体壁を挟み込み、該躯体壁のある領域では躯体壁に応じた寸法だけ対面カウンターに切欠き部を形成し、躯体壁のない領域では前記キッチンキャビネットと前記対面カウンターとを前記連結具で連結した請求項２記載の対面式キッチンユニットである。
本発明にあっては、躯体壁に応じた寸法だけ対面カウンターに切欠き部を形成することで、キッチンキャビネットと対面カウンターとで躯体壁を挟み込みできる。
【０００８】
ベースキャビネットを用いることなく対面カウンターを簡単且つ安全に施工するために請求項４記載の本発明が採用した手段は、請求項２記載の対面式キッチンユニットの施工方法において、床面上にキッチンキャビネットを配置する第１工程と、対面カウンターの底面の所定位置に、上方の連結具及び支柱取付用フランジを取着すると共に、床面上の所定位置に下方の連結具及び支柱取付用フランジを取着する第２工程と、キッチンキャビネットに対面カウンターを載置すると共に、支柱取付用フランジに支柱の上下端を挿着して、対面カウンターを仮置きする第３工程と、キッチンキャビネットに対面カウンターを連結具を用いて連結する第４工程と、対面カウンターと床面との間の空間へ、ダイニング域側から仕切パネルを挿入し、上下の連結具に仕切パネルを連結する第５工程とをこの順番で行うことを特徴とする対面式キッチンユニットの施工方法である。
本発明にあっては、第３工程において、別にカンター保持具等を用いることなく対面カウンターを仮置きすることができると共に、支柱取付用フランジに支柱の上下端を挿着してあるために、仮置き状態の対面カウンターが容易に移動しない。
【発明の効果】
【０００９】
請求項１記載の本発明は、対面カウンターの下方に形成した任意奥行き寸法の空間に、テーブルの一部を呑込ませる等して施工現場の仕様に対処できる。
【００１０】
請求項２記載の本発明は、ベースキャビネットを用いることなく対面カウンターを、連結具及び支柱を用いる簡単な構造で固定できるので、施工工数の低減が図れる。
【００１１】
請求項３記載の本発明は、躯体壁を挟み込む現場仕様に対して、対面カウンターに切欠き部を形成する簡単な構造で対処できるので、施工工数の低減が図れる。
【００１２】
請求項４記載の本発明は、別にカウンター保持具等を用いることなく対面カウンターを仮置きできる簡単な施工となるため施工工数の低減が図れ、また、仮置き状態の対面カウンターが容易に移動しないため安全に施工できる。
【発明を実施するための最良の形態】
【００１３】
本発明に係る対面式キッチンユニット（以下、「本発明キッチンユニット」という）を図面に示す実施形態に基づいて説明する。
【００１４】
図１乃至図３は本発明キッチンユニットの第１の実施の形態における施工手順を示すものであって、各図の（Ａ）は右側断面図、各図の（Ｂ）は背面図である。図４は同実施の形態における完成状態を示すものであって、（Ａ）は右側面図、（Ｂ）は平面図である。図５は仕切パネルを前側（ダイニング域Ｄ側から見て裏側）から示す斜視図である。
【００１５】
本発明キッチンユニット１は、図３に示す如く、後側のダイニング域Ｄと前側のキッチン域Ｋの間に対面カウンター２を設置し、対面カウンター２の底面２ａにおけるダイニング域Ｄから任意奥行き寸法Ａの位置に取着した上方の連結具４と、連結具４と対面して床面Ｆ上に取着した下方の連結具５と、この上下の連結具４，５に接合した仕切パネル６とを備え、これら対面カウンター２と床面Ｆと仕切パネル６とで囲まれた空間Ｓを、ダイニング域Ｄに面して開口すると共にダイニング域Ｄから連結前の仕切パネル６の挿入が可能な大きさとしたものである。本発明キッチンユニット１は、図４に示す如く、ダイニング域Ｄに面して開口する空間Ｓに、ダイニング域Ｄに配置するテーブルＴの一部やワゴン（図示略）の一部等を侵入させることが可能となり、ダイニング域Ｄのレイアウトに対処できる。前記任意奥行き寸法Ａは、テーブル等の該空間Ｓに侵入させる部分の寸法が現場毎に異なるため、各現場毎に決定する。
【００１６】
前記上下の連結具４，５の各々は、図１に示す如く、木製直方体のブロックから短尺状に形成され、その複数個を左右方向に沿って適宜間隔Ｂ毎にビス１４で取着するか、図示は省略したが、木製四角棒から長尺状に形成され、対面カウンター２又は床面Ｆに対してビス１４で取着する。上下の連結具４，５に対する仕切パネル６の接合は、図３に示す如く、ダイニング域Ｄからねじ込んむビス１５で行う。上下の連結具４，５は、ブロックや棒状に限定されるものではなく、Ｌ字状の連結金具等を採用することも可能である。
【００１７】
前記仕切パネル６は、図３に示す如く、対面カウンター２の左右長さ寸法Ｗに応じて、複数枚（図示の場合は３枚）又は１枚から構成され、ダイニング域Ｄから連結位置までの移動が楽にできるように、対面カウンター２の底面２ａから床面Ｆまでの高さ寸法Ｈより短い高さ寸法のものとしてある。この寸法関係から、仕切パネル６は、対面カウンター２の底面２ａとの間に生じる隙間の対策として、図５に示す如く、前面側（ダイニング域Ｄから見えない側）の上縁側に変形容易な横シール１６を取付け、対面カウンター２の底面２ａに横シール１６の上端を圧接させることで隙間を覆うようにしてある。複数枚の仕切パネル６を用いるときには、一方の仕切パネル６の立上側面６ｂに、他方の仕切パネル６の立上側面６ｂに取付けた変形容易な縦シール１７を当接して、隣接する仕切パネル６，６間の隙間を縦シール１７，１７で塞ぐようにしてある。本実施形態に係る本発明キッチンユニット１は、これら横シール１６及び縦シール１７で隙間を塞ぐことにより、ダイニング域Ｄから隙間が目立たなくなり、見栄えが良くなる。
【００１８】
本実施形態に係る本発明キッチンユニット１は、図４に示す如く、ダイニング域Ｄに面する対面カウンター２とキッチン域Ｋに面するキッチンキャビネット３とを並設し、キッチンキャビネット３と対面カウンター２の長手側縁のうちキッチンキャビネット３に隣接する一方側とを適宜個数の連結具１１（図２参照）で連結すると共に、床面Ｆ上に対面カウンター２の長手側縁の他方側を支柱１２で支持して、対面カウンター２を固定してある。連結具１１は、Ｌ字状の金具等が用いられ、キッチンキャビネット３の起立部１３の背面側及び対面カウンター２の底面２ａにビスを用いて取着して、キッチンキャビネット３と対面カウンター２を連結してある。支柱１２は、対面カウンター２の左右長さ寸法に応じて、適宜本数が採用される（図示の場合は左右に１本宛）。
【００１９】
本実施形態において前記各支柱１２は、図４に示す如く、上下の各端部を外嵌する支柱取付用フランジ１８，１８を用いて、対面カウンター２と床面Ｆとに連結してある。支柱取付用フランジ１８は、図１に示す如く、支柱１２の端部を外嵌する短筒部１８ａと、短筒部１８ａに螺着したセットボルト（図示略）と、短筒部１８ａの一端側から張出した鍔部１８ｂとを備え、対面カウンター２又は床面Ｆに鍔部１８ｂをビス１９で取着してある。各支柱１２は、上下端の少なくとも一方に、高さ寸法を調節できる高さ調整具（図示略）を設け、対面カウンター２の水平調整を容易にできるようにしてある。高さ調整具は、金属製管からなる支柱１２の端部及び支柱取付用フランジ１８の短筒部の内部に挿入され、人目に触れないようにしてある。本発明キッチンユニット１は、図４に示す如く、キッチンキャビネツト３及び床面Ｆに対して連結具１１と支柱１２とで対面カウンター２を支持するので、ベースキャビネットを用いることなく対面カウンター２を簡単な構造で強固に固定できる。
【００２０】
なお、支柱１２の連結は、支柱取付用フランジ１８を用いて連結するものに限定するものではなく、図示は省略したが、対面カウンター２の底面２ａの所定位置に取付けたナットに、支柱１２の上端に取付けたボルトを螺合して、対面カウンター２に支柱１２を強固に連結する場合もある。支柱１２としては、木製のものを用いることが可能となる。支柱１２は、下端に高さ調整具となる脚部を螺着し、床面と脚部に形成したフランジとを必要に応じてビス止めする。
【００２１】
本実施形態に係る本発明キッチンユニット１は、図３及び図４に示す如く、キッチンキャビネツト３と仕切パネル６の間の空間の左右両側を塞ぐための側パネル２１，２１を、連結具２２を介して対面カウンター２及び床面Ｆに連結してある。
【００２２】
前記キッチンキャビネット３は、床面Ｆ上に設置したベースキャビネット７と、ベースキャビネット７の上部に取着した天板８と、ベースキャビネット７及び天板８に取着したシンク９及び加熱調理具１０とを備えている。キッチンキャビネット３は、天板８とシンク９とを一体に形成することもある。
【００２３】
次に、本実施形態に係る本発明キッチンユニット１を施工する作業手順について説明する。第１工程は、図１に示す如く、床面Ｆ上にキッチンキャビネット３を設置することである。第２工程は、同図に示す如く、対面カウンター２の底面２ａの所定位置に、上方の連結具４及び支柱取付用フランジ１８を取着すると共に、床面Ｆ上の所定位置に下方の連結具５及び支柱取付用フランジ１８を取着する。第３工程は、図２に示す如く、キッチンキャビネット３の起立部１３に対面カウンター２の前側を載置すると共に、各組の支柱取付用フランジ１８，１８に支柱１2 ，１２の上下端を挿着して、対面カウンター２を仮置きする。支柱１2 ，１２に設けた高さ調整具（図示略）を調整して、対面カウンター２の水平を出す。第４工程は、同図に示す如く、キッチンキャビネット３に連結具１１を用いて対面カウンター２を連結すると共に、各取付用フランジ１８のセットボルトを緊締して取付用フランジ１８と支柱１2 とを接合する。第５工程は、図３に示す如く、対面カウンター２と床面Ｆとの間の空間Ｄへ、ダイニング域Ｄ側から仕切パネル６を挿入し、上下の連結具４，５に仕切パネル６をビス１５で接合すると共に、必要に応じて側パネル２１，２１を対面カウンター２及び床面Ｆに連結して図４に示す本発明キッチンユニット１を得る。施工は、前記第１工程、第２工程、第３工程及び第４工程をこの順番で行われる。
【００２４】
（第２の実施の形態）
図６は本発明キッチンユニットの第２の実施の形態における完成状態を示すものであって、（Ａ）は右側面図、（Ｂ）は平面図である。
【００２５】
本実施の形態に係る本発明キッチンユニット３１が図１乃至図４に示す前記第１の実施の形態に係る本発明キッチンユニット１との相違点は、キッチンキャビネット３と対面カウンター２との間の一部で躯体壁Ｇを挟み込み、躯体壁Ｇのある領域Ｍでは躯体壁Ｇに応じた寸法だけ対面カウンター２に切欠き部２ｂを形成し、躯体壁Ｇのない領域Ｎではキッチンキャビネット３と対面カウンター２とを連結具１１で連結し、キッチンキャビネット３と対面カウンター２との間の一部に躯体壁Ｇが位置する現場仕様に簡単に対処できるようにしたことである。この相違点以外の構成は、前記第１の実施の形態に係る本発明キッチンユニット１と実質的に同一であり、図１乃至図４に示す符号と同一の符号は、同一の構成部材等を示している。
【００２６】
ベースキャビネットの上部に対面カウンターを設けた従来の箱型対面カウンターの構造では、ベースキャビネットに背板や側板があるために、躯体壁Ｇを回避するための切欠き部をベースキャビネットに形成することが困難である。そのため、従来は、キッチンキャビネットと箱型対面カウンターとの間に躯体壁の厚み寸法に相当する隙間が生じることになり、実質的に対処することができなかった。これに対して、本実施の形態に係る本発明キッチンユニット３１は、対面カウンター２に躯体壁Ｇに応じた寸法だけ切欠き部２ｂを形成するだけで対処できる。
【００２７】
（第３の実施の形態）
図７は本発明キッチンユニットの第３の実施の形態における完成状態を示すものであって、（Ａ）は右側面図、（Ｂ）は平面図である。
【００２８】
本実施の形態に係る本発明キッチンユニット４１が図１乃至図４に示す前記第１の実施の形態に係る本発明キッチンユニット１との相違点は、キッチンキャビネット３を並設することなく、ベースキャビネット４３の上部に対面カウンター４２を設けた箱型対面カウンター４４を用い、ベースキャビネット４３の後側から対面カウンター４２を片持ち状態で張り出させると共に、対面カウンター４２の張出し領域４２ｃの下方に配置した仕切パネル３を、上下の連結具４，５を介して対面カウンター４２及び床面Ｆに連結したことである。
【００２９】
本実施の形態に係る本発明キッチンユニット４１は、対面カウンター４２の張出し領域４２ｃの張出寸法が短いために、前記第１の実施の形態の支柱１２を用いていないが、張出寸法が長いときには、前記第１の実施の形態と同様に支柱１２を用い対面カウンター４２の後縁部を床面Ｆに支持させると良い。
【図面の簡単な説明】
【００３０】
【図１】本発明キッチンユニットの第１の実施の形態における施工途中の状態を示すものであって、（Ａ）は右側断面図、（Ｂ）は背面図である。
【図２】同実施の形態における施工途中の状態を示すものであって、（Ａ）は右側断面図、（Ｂ）は背面図である。
【図３】同実施の形態における施工途中の状態を示すものであって、（Ａ）は右側断面図、（Ｂ）は背面図である。
【図４】同実施の形態における完成状態を示すものであって、（Ａ）は右側面図、（Ｂ）は平面図である。
【図５】仕切パネルを前側（ダイニング域Ｄ側から見て裏側）から示す斜視図である。
【図６】本発明キッチンユニットの第２の実施の形態における完成状態を示すものであって、（Ａ）は右側面図、（Ｂ）は平面図である。
【図７】本発明キッチンユニットの第３の実施の形態における完成状態を示すものであって、（Ａ）は右側面図、（Ｂ）は平面図である。
【符号の説明】
【００３１】
２…対面カウンター
３…キッチンキャビネット
４，５…連結具
６…仕切パネル
１１…連結具
１２…支柱
Ａ…任意奥行寸法
Ｄ…ダイニング域
Ｋ…キッチン
【図１】
2005080671.tif 000003
【図２】
2005080671.tif 000004
【図３】
2005080671.tif 000005
【図４】
2005080671.tif 000006
【図５】
2005080671.tif 000007
【図６】
2005080671.tif 000008
【図７】
2005080671.tif 000009